(57)【要約】  ユーザ機器（ＵＥ：Ｕｓｅｒ  Ｅｑｕｉｐｍｅｎｔ）ポリシー伝送のネゴシエーションのための方法及び装置が提供される。ユーザ機器のＵＥポリシー伝送のネゴシエーションのための方法は、ユーザ機器の性能に関連付けられた第１インジケータを生成すること、ネットワークノードに、ユーザ機器の性能に関連付けられた第１インジケータを報告することを含む。ユーザ機器の性能は、ユーザ機器がＵＥポリシー構成の起動するためのサポート、及び／又は、ＵＥポリシー配信のためのＵＥアシスタント情報を記述する。
2021504989.tif 000002
【特許請求の範囲】
【請求項１】
ＵＥポリシー伝送のネゴシエーションのためのユーザ機器（ＵＥ：Ｕｓｅｒ  Ｅｑｕｉｐｍｅｎｔ）であって、
メモリと、
トランシーバと、
前記メモリと前記トランシーバに結合されたプロセッサと、
を備え、
前記プロセッサは、
前記ユーザ機器の性能に関連付けられた、第１インジケータを生成し、
前記トランシーバを制御して、ネットワークノードへ、ＵＥポリシー構成の起動をする前記ユーザ機器をサポートすることに関連付けられた前記第１インジケータ、及び／又は、ＵＥポリシー配信のためのＵＥアシスタント情報を、報告するように構成される、
ユーザ機器。
【請求項２】
前記プロセッサは、前記トランシーバが前記ネットワークノードから第２インジケータを取得する前にはＵＥポリシー構成を起動させず、ここで前記第２インジケータは前記ユーザ機器に前記ＵＥポリシー構成要求の起動を許可する、請求項１に記載のユーザ機器。
【請求項３】
前記第１インジケータは、登録処理における登録要求メッセージに含まれている、請求項１又は２に記載のユーザ機器。
【請求項４】
前記登録要求メッセージは、非アクセス層（ＮＡＳ：Ｎｏｎ  Ａｃｃｅｓｓ  Ｓｔｒａｔｕｍ）メッセージである、請求項３に記載のユーザ機器。
【請求項５】
前記ＵＥポリシー配信のための前記ＵＥアシスタント情報は、前記登録処理における前記登録要求メッセージに含まれる、請求項３及び４のいずれか１つに記載のユーザ機器。
【請求項６】
前記ＵＥポリシー配信のための前記ＵＥアシスタント情報は、ＵＥポリシー識別子及び／又は表示（ＩＤ：Ｉｎｄｉｃａｔｉｏｎ）、ポリシールールＩＤ、及び／又は、アプリケーションＩＤを備える、請求項１乃至５のいずれか１つに記載のユーザ機器。
【請求項７】
前記ネットワークノードは、コアアクセス及びモビリティ制御機能（ＡＭＦ：Ａｃｃｅｓｓ  Ｍｏｂｉｌｉｔｙ  Ｍａｎａｇｅｍｅｎｔ  Ｆｕｎｃｔｉｏｎ）、又は、ポリシー制御機能（ＰＣＦ：Ｐｏｌｉｃｙ  Ｃｏｎｔｒｏｌ  Ｆｕｎｃｔｉｏｎ）である、請求項１乃至６のいずれか１つに記載のユーザ機器。
【請求項８】
１つのＮＡＳメッセージにおいてＵＥポリシーが伝送された場合、前記ユーザ機器は前記ＵＥポリシー構成要求の起動が許可されることが決定され、ＵＥサブスクリプションにおいて、前記ＵＥポリシー構成要求の起動を許可される前記ユーザ機器を示すパラメータが存在し、及び／又は、前記ユーザ機器が前記ＵＥポリシー構成要求の起動を許可することの第三者からの要求が存在する、請求項１乃至７のいずれか１つに記載のユーザ機器。
【請求項９】
前記ＮＡＳメッセージのサイズが、前記ネットワークノードから取得される、請求項８に記載のユーザ機器。
【請求項１０】
前記ＮＡＳメッセージのサイズが、前記登録処理の間に前記ＡＭＦから取得される、請求項９に記載のユーザ機器。
【請求項１１】
前記ＵＥサブスクリプションが、統一データ管理（ＵＤＭ：Ｕｎｉｆｉｅｄ  Ｄａｔａ  Ｍａｎａｇｅｍｅｎｔ）及び／又は統一データレポジトリ（ＵＤＲ：Ｕｎｉｆｉｅｄ  Ｄａｔａ  Ｒｅｐｏｓｉｔｏｒｙ）から取得される、請求項８に記載のユーザ機器。
【請求項１２】
前記第三者はネットワーク露出機能（ＮＥＦ：Ｎｅｔｗｏｒｋ  Ｅｘｐｏｓｕｒｅ  Ｆｕｎｃｔｉｏｎ）である、請求項８に記載のユーザ機器。
【請求項１３】
前記トランシーバは、前記ネットワークノードから、前記ユーザ機器に対し前記ＵＥポリシー構成要求の起動を許可する第２インジケータを受信する、及び／又は、前記ＵＥポリシー配信のための前記ＵＥアシスタント情報を提供する、ように構成される、請求項１乃至１２のいずれか１つに記載のユーザ機器。
【請求項１４】
前記第２インジケータは、登録受諾メッセージに含まれる、請求項１３に記載のユーザ機器。
【請求項１５】
前記トランシーバが、前記ネットワークノードから、前記ユーザ機器に前記ＵＥポリシー構成要求の起動を許可する前記第２インジケータを受信した場合、前記プロセッサは、前記ＵＥポリシー構成要求を起動する、請求項１３及び１４のいずれか１つに記載のユーザ機器。
【請求項１６】
前記トランシーバが、前記ネットワークノードから、前記ネットワークノードに対するさらなるＮＡＳメッセージにおいて、前記ユーザ機器に前記ＵＥポリシー配信のための前記ＵＥアシスタント情報を加えることを許可する前記第２インジケータを受信した場合、前記プロセッサは、前記ネットワークノードに対するさらなるＮＡＳメッセージに、前記ＵＥポリシー配信のための前記ＵＥアシスタント情報を加える、請求項１３乃至１５のいずれか１つに記載のユーザ機器。
【請求項１７】
前記ＵＥポリシー配信は、前記ＵＥアシスタント情報のメッセージに基づいて実行される、請求項１乃至１６のいずれか１つに記載のユーザ機器。
【請求項１８】
前記ＵＥアシスタント情報は、アプリケーションＩＤを備え、前記ネットワークノードは、前記トランシーバに、前記アプリケーションＩＤに対応するポリシーを伝送するように構成される、請求項１乃至１７のいずれか１つに記載のユーザ機器。
【請求項１９】
前記アプリケーションＩＤは、Ｖ２Ｘ（Ｖｅｈｉｃｌｅ−ｔｏ−Ｅｖｅｒｙｔｈｉｎｇ）に関連付けられ、前記ネットワークノードは、前記トランシーバに、Ｖ２Ｘサービスに対応する前記ポリシーを伝送するように構成される、請求項１８に記載のユーザ機器。
【請求項２０】
ユーザ機器（ＵＥ）のユーザ機器ポリシー伝送のネゴシエーションのための方法であって、
前記ユーザ機器の性能に関連付けられた第１インジケータを生成することと、
ネットワークノードに、前記ユーザ機器がＵＥポリシー構成の起動することをサポートすることに関連付けられた前記第１インジケータ、及び／又は、ＵＥポリシー配信のためのＵＥアシスタント情報を報告することと、
を備える方法。
【請求項２１】
前記ネットワークノードから第２インジケータを受信する前に、ＵＥポリシー構成要求を起動しないことをさらに備え、前記第２インジケータは、前記ユーザ機器に前記ＵＥポリシー構成要求の起動を許可する、請求項２０に記載の方法。
【請求項２２】
前記第１インジケータは、登録処理における登録要求メッセージに含まれる、請求項２０又は２１に記載の方法。
【請求項２３】
前記登録要求メッセージは、非アクセス層（ＮＡＳ）メッセージである、請求項２２に記載の方法。
【請求項２４】
前記ＵＥポリシー配信のための前記ＵＥアシスタント情報は、前記登録処理における前記登録要求メッセージに含まれる、請求項２２及び２３のいずれか１つに記載の方法。
【請求項２５】
前記ＵＥポリシー配信のための前記ＵＥアシスタント情報は、ＵＥポリシー識別子及び／又は表示（ＩＤ）、ポリシールールＩＤ、及び／又は、アプリケーションＩＤを備える、請求項２０乃至２４のいずれか１つに記載の方法。
【請求項２６】
前記ネットワークノードは、コアアクセス及びモビリティ制御機能（ＡＭＦ）、又は、ポリシー制御機能（ＰＣＦ）である、請求項２０乃至２５のいずれか１つに記載の方法。
【請求項２７】
１つのＮＡＳメッセージにおいてＵＥポリシーが伝送された場合、前記ユーザ機器は前記ＵＥポリシー構成要求の起動が許可されることが決定され、ＵＥサブスクリプションにおいて、前記ユーザ機器が前記ＵＥポリシー構成要求の起動を許可されることを指示するパラメータが存在し、及び／又は、前記ユーザ機器が前記ＵＥポリシー構成要求の起動を許可することの第三者からの要求が存在する、請求項２０乃至２６のいずれか１つに記載の方法。
【請求項２８】
前記ＮＡＳメッセージのサイズが、前記ネットワークノードから取得される、請求項２７に記載の方法。
【請求項２９】
前記ＮＡＳメッセージのサイズが、登録処理の間に前記ＡＭＦから取得される、請求項２８に記載の方法。
【請求項３０】
前記ＵＥサブスクリプションが、統一データ管理（ＵＤＭ）及び／又は統一データレポジトリ（ＵＤＲ）から取得される、請求項２７に記載の方法。
【請求項３１】
前記第三者はネットワーク露出機能（ＮＥＦ）である、請求項２７に記載の方法。
【請求項３２】
前記ネットワークノードから、前記ユーザ機器に前記ＵＥポリシー構成要求の起動を許可するため、第２インジケータを受信すること、及び／又は、前記ＵＥポリシー配信のため前記ＵＥアシスタント情報を提供すること、をさらに備える、請求項２０乃至３１のいずれか１つに記載の方法。
【請求項３３】
前記第２インジケータは、登録受諾メッセージに含まれる、請求項３２に記載の方法。
【請求項３４】
前記ネットワークノードから、前記ユーザ機器に前記ＵＥポリシー構成要求の起動を許可するための前記第２インジケータを受信した場合、前記ＵＥポリシー構成要求を起動することをさらに備える、請求項３２及び３３のいずれか１つに記載の方法。
【請求項３５】
前記ネットワークノードから、前記ネットワークノードに対するさらなるＮＡＳメッセージにおいて、前記ＵＥポリシー配信のための前記ＵＥアシスタント情報を加えることを前記ユーザ機器に許可する前記第２インジケータを受信した場合、前記ネットワークノードに対するさらなるＮＡＳメッセージに、前記ＵＥポリシー配信のため前記ＵＥアシスタント情報を加えることをさらに備える、請求項３２乃至３４のいずれか１つに記載の方法。
【請求項３６】
前記ＵＥポリシー配信は、前記ＵＥアシスタント情報のメッセージに基づいて実行される、請求項２０乃至３５のいずれか１つに記載の方法。
【請求項３７】
前記ＵＥアシスタント情報は、アプリケーションＩＤを備え、前記ネットワークノードは、前記トランシーバに、前記アプリケーションＩＤに対応するポリシーを伝送するように構成される、請求項２０乃至３６のいずれか１つに記載の方法。
【請求項３８】
前記アプリケーションＩＤは、Ｖ２Ｘに関連付けられ、前記ユーザ機器に対して、Ｖ２Ｘサービスに対応する前記ポリシーを伝送することを備える、請求項３７に記載の方法。
【請求項３９】
ユーザ機器（ＵＥ）ポリシー伝送のネゴシエーションのためのネットワークノードであって、
メモリと、
トランシーバと、
前記メモリと前記トランシーバに結合されたプロセッサと、
を備え、
前記プロセッサは、
前記トランシーバを制御して、前記ユーザ機器からの、前記ユーザ機器の性能に関連付けられて且つ前記ユーザ機器がＵＥポリシー構成を起動することをサポートする第１インジケータを受信し、及び／又は、ＵＥポリシー配信のためのＵＥアシスタント情報を受信するよう構成される、
ネットワークノード。
【請求項４０】
前記ユーザ機器は、前記トランシーバが、前記ユーザ機器に第２インジケータを送信する前にはＵＥポリシー構成要求を起動させず、前記第２インジケータは、前記ユーザ機器に前記ＵＥポリシー構成要求の起動を許可する、請求項３９に記載のネットワークノード。
【請求項４１】
前記第１インジケータは、登録処理における登録要求メッセージに含まれている、請求項３９又は４０に記載のネットワークノード。
【請求項４２】
前記登録要求メッセージは、非アクセス層（ＮＡＳ）メッセージである、請求項４１に記載のネットワークノード。
【請求項４３】
前記ＵＥポリシー配信のための前記ＵＥアシスタント情報は、前記登録処理における、前記登録要求メッセージに含まれている、請求項４１及び４２のいずれか１つに記載のネットワークノード。
【請求項４４】
前記ＵＥポリシー配信のための前記ＵＥアシスタント情報は、ＵＥポリシー識別子及び／又は表示（ＩＤ）、ポリシールールＩＤ、及び／又は、アプリケーションＩＤを備える、請求項３９乃至４３のいずれか１つに記載のネットワークノード。
【請求項４５】
前記ネットワークノードは、コアアクセス及びモビリティ制御機能（ＡＭＦ）、又は、ポリシー制御機能（ＰＣＦ）である、請求項３９乃至４３のいずれか１つに記載のネットワークノード。
【請求項４６】
１つのＮＡＳメッセージにおいてＵＥポリシーが伝送された場合、前記プロセッサは、前記ユーザ機器が前記ＵＥポリシー構成要求の起動を許可することを決定し、ＵＥサブスクリプションにおいて、前記ＵＥポリシー構成要求の起動を許可される前記ユーザ機器を指示するパラメータが存在し、及び／又は、前記ユーザ機器が前記ＵＥポリシー構成要求の起動を許可することの第三者からの要求が存在する、請求項３９乃至４５のいずれか１つに記載のネットワークノード。
【請求項４７】
前記ＮＡＳメッセージのサイズが、前記ネットワークノードから取得される、請求項４６に記載のネットワークノード。
【請求項４８】
前記ＮＡＳメッセージのサイズが、前記登録処理の間に前記ＡＭＦから取得される、請求項４７に記載のネットワークノード。
【請求項４９】
前記ＵＥサブスクリプションが、統一データ管理（ＵＤＭ）及び／又は統一データレポジトリ（ＵＤＲ）から取得される、請求項４７に記載のネットワークノード。
【請求項５０】
前記第三者はネットワーク露出機能（ＮＥＦ）である、請求項４７に記載のネットワークノード。
【請求項５１】
前記トランシーバは、前記ユーザ機器に、前記ユーザ機器に対し前記ＵＥポリシー構成要求の起動を許可する第２インジケータを送信する、及び／又は、前記ＵＥポリシー配信のための前記ＵＥアシスタント情報を提供する、ように構成される、請求項２９乃至５０のいずれか１つに記載のネットワークノード。
【請求項５２】
前記第２インジケータは、登録受諾メッセージに含まれる、請求項５１に記載のネットワークノード。
【請求項５３】
前記トランシーバが、前記ユーザ機器に、前記ＵＥポリシー構成要求の起動を許可する前記第２インジケータを送信した場合、前記ユーザ機器は前記ＵＥポリシー構成要求を起動する、請求項５１及び５２のいずれか１つに記載のネットワークノード。
【請求項５４】
前記トランシーバが、前記ユーザ機器に、前記ネットワークノードに対するさらなるＮＡＳメッセージにおいて、前記ユーザ機器に前記ＵＥポリシー配信のための前記ＵＥアシスタント情報を加えることを許可する前記第２インジケータを送信した場合、前記ユーザ機器は、前記ネットワークノードに対するさらなるＮＡＳメッセージに、前記ＵＥポリシー配信のための前記ＵＥアシスタント情報を加える、請求項５１乃至５３のいずれか１つに記載のネットワークノード。
【請求項５５】
前記ＵＥポリシー配信は、前記ＵＥアシスタント情報のメッセージに基づいて実行される、請求項３９乃至５４のいずれか１つに記載のネットワークノード。
【請求項５６】
前記ＵＥアシスタント情報は、アプリケーションＩＤを備え、前記トランシーバは前記ユーザ機器に前記アプリケーションＩＤに対応するポリシーを伝送するように構成される、請求項３９乃至５５のいずれか１つに記載のネットワークノード。
【請求項５７】
前記アプリケーションＩＤは、Ｖ２Ｘに関連付けられ、前記トランシーバは前記ユーザ機器に、Ｖ２Ｘサービスに対応する前記ポリシーを伝送するように構成される、請求項５６に記載のネットワークノード。
【請求項５８】
ネットワークノードのユーザ機器（ＵＥ）ポリシー伝送のネゴシエーションのための方法であって、
ユーザ機器の性能に関連付けられて且つ前記ユーザ機器がＵＥポリシー構成を起動することをサポートする第１インジケータを受信すること、及び／又は、前記ユーザ機器から、ＵＥポリシー配信のためのＵＥアシスタント情報を受信すること、
を備える方法。
【請求項５９】
前記ユーザ機器は、前記ユーザ機器に第２インジケータ送信する前に、ＵＥポリシー構成要求を起動せず、前記第２インジケータは、前記ユーザ機器に前記ＵＥポリシー構成要求の起動を許可する、請求項５８に記載の方法。
【請求項６０】
前記第１インジケータは、登録処理における登録要求メッセージに含まれる、請求項５８又は５９に記載の方法。
【請求項６１】
前記登録要求メッセージは、非アクセス層（ＮＡＳ）メッセージである、請求項６０に記載の方法。
【請求項６２】
前記ＵＥポリシー配信のための前記ＵＥアシスタント情報は、前記登録処理における前記登録要求メッセージに含まれる、請求項６０及び６１のいずれか１つに記載の方法。
【請求項６３】
前記ＵＥポリシー配信のための前記ＵＥアシスタント情報は、ＵＥポリシー識別子及び／又は表示（ＩＤ）、ポリシールールＩＤ、及び／又は、アプリケーションＩＤを備える、請求項５８乃至６２のいずれか１つに記載の方法。
【請求項６４】
前記ネットワークノードは、コアアクセス及びモビリティ制御機能（ＡＭＦ）、又は、ポリシー制御機能（ＰＣＦ）である、請求項５８乃至６３のいずれか１つに記載の方法。
【請求項６５】
１つのＮＡＳメッセージにおいてＵＥポリシーが伝送された場合、前記ユーザ機器が前記ＵＥポリシー構成要求の起動を許可することを決定し、ＵＥサブスクリプションにおいて、前記ＵＥポリシー構成要求の起動が許可される前記ユーザ機器を示すパラメータが存在し、及び／又は、前記ユーザ機器が前記ＵＥポリシー構成要求を許可することの第三者からの要求が存在する、ことをさらに備える請求項５８乃至６４のいずれか１つに記載の方法。
【請求項６６】
前記ＮＡＳメッセージのサイズが、前記ネットワークノードから取得される、請求項６５に記載の方法。
【請求項６７】
前記ＮＡＳメッセージのサイズが、前記登録処理の間に前記ＡＭＦから取得される、請求項６６に記載の方法。
【請求項６８】
前記ＵＥサブスクリプションが、統一データ管理（ＵＤＭ）及び／又は統一データレポジトリ（ＵＤＲ）から取得される、請求項６６に記載の方法。
【請求項６９】
前記第三者はネットワーク露出機能（ＮＥＦ）である、請求項６６に記載の方法。
【請求項７０】
前記ユーザ機器に、前記ユーザ機器に対し前記ＵＥポリシー構成要求の起動を許可する第２インジケータを送信する、及び／又は、前記ＵＥポリシー配信のための前記ＵＥアシスタント情報を提供する、ことをさらに備える、請求項５８乃至６９のいずれか１つに記載の方法。
【請求項７１】
前記第２インジケータは、登録受諾メッセージに含まれる、請求項７０に記載の方法。
【請求項７２】
前記ユーザ機器に、前記ユーザ機器に対し前記ＵＥポリシー構成要求の起動を許可する前記第２インジケータを送信した場合、前記ユーザ機器は前記ＵＥポリシー構成要求を起動する、請求項７０及び７１のいずれか１つに記載の方法。
【請求項７３】
前記ユーザ機器が、前記ユーザ機器に対して、前記ネットワークノードに対するさらなるＮＡＳメッセージにおいて、前記ＵＥポリシー配信のため前記ＵＥアシスタント情報を加えることを許可するための前記第２インジケータを送信した場合、前記ユーザ機器は、前記ネットワークノードに対するさらなるＮＡＳメッセージに、前記ＵＥポリシー配信のため前記ＵＥアシスタント情報を加える、請求項７０乃至７２のいずれか１つに記載の方法。
【請求項７４】
前記ＵＥポリシー配信は、前記ＵＥアシスタント情報のメッセージに基づいて実行される、請求項５８乃至７３のいずれか１つに記載の方法。
【請求項７５】
前記ＵＥアシスタント情報は、アプリケーションＩＤを備え、前記ユーザ機器に前記アプリケーションＩＤに対応するポリシーを伝送するように構成される、請求項５８乃至７３のいずれか１つに記載の方法。
【請求項７６】
前記アプリケーションＩＤは、Ｖ２Ｘに関連付けられ、前記ユーザ機器に対して、Ｖ２Ｘサービスに対応する前記ポリシーを伝送することを備える、請求項７５に記載の方法。
【請求項７７】
ＵＥポリシー伝送のネゴシエーションのためのユーザ機器（ＵＥ）であって、
メモリと、
トランシーバと、
前記メモリと前記トランシーバに結合されたプロセッサと、
を備え、
前記プロセッサは、
ネットワークノードが前記ユーザ機器にＵＥポリシー構成要求の起動を許可した場合、システム情報に基づきＵＥポリシー構成要求を起動すること、及び／又は、
前記トランシーバを制御して、ＵＥポリシー識別子及び／又は表示（ＩＤ）、ポリシールールＩＤ、及び／又は、アプリケーションＩＤを、備える前記システム情報を、前記ネットワークノードから受信する、
ように構成されるユーザ機器。
【請求項７８】
前記トランシーバが、ネットワークに前記ユーザ機器により用いられる前記ＵＥポリシー識別子及び／又は表示（ＩＤ）、前記ポリシールールＩＤ、及び／又は、前記アプリケーションＩＤを報告するように構成された、請求項７７に記載のユーザ機器。
【請求項７９】
ユーザ機器のＵＥポリシー伝送のネゴシエーションのための方法であって、
ネットワークノードが前記ユーザ機器にＵＥポリシー構成要求の起動を許可した場合、システム情報に基づきＵＥポリシー構成要求を起動すること、及び／又は、
ＵＥポリシー識別子及び／又は表示（ＩＤ）、ポリシールールＩＤ、及び／又は、アプリケーションＩＤを備える前記システム情報を、前記ネットワークノードから受信すること、
を備える方法。
【請求項８０】
前記ネットワークに、前記ユーザ機器により用いられる前記ＵＥポリシー識別子及び／又は表示（ＩＤ）、前記ポリシールールＩＤ、及び／又は、前記アプリケーションＩＤを報告することをさらに備える、請求項７９に記載の方法。
【請求項８１】
ユーザ機器（ＵＥ）ポリシー伝送のネゴシエーションのためのネットワークノードであって、
メモリと、
トランシーバと、
前記メモリと前記トランシーバに結合されたプロセッサと、
を備え、
前記プロセッサは、
ユーザ機器に、システム情報に基づくＵＥポリシー構成要求を起動することを許可し、
及び／又は
前記トランシーバを制御して、前記ユーザ機器に、ＵＥポリシー識別子及び／又は表示（ＩＤ）、ポリシールールＩＤ、及び／又は、アプリケーションＩＤを、備える前記システム情報を送信する、
ように構成されるネットワークノード。
【請求項８２】
前記トランシーバが、前記ユーザ機器から、前記ユーザ機器に用いられる、前記ＵＥポリシー識別子及び／又は表示（ＩＤ）、前記ポリシールールＩＤ、及び／又は、前記アプリケーションＩＤを、受信するように構成された、請求項８１に記載のネットワークノード。
【請求項８３】
ネットワークノードのユーザ機器（ＵＥ）ポリシー伝送のネゴシエーションのための方法であって、
システム情報に基づいて、ユーザ機器にＵＥポリシー構成要求の起動を許可すること、及び／又は
ＵＥポリシー識別子及び／又は表示（ＩＤ）、ポリシールールＩＤ、及び／又は、アプリケーションＩＤを、備える前記システム情報を、前記ユーザ機器に送信すること、
を備える、方法。
【請求項８４】
前記ユーザ機器から、前記ユーザ機器に用いられる、前記ＵＥポリシー識別子及び／又は表示（ＩＤ）、前記ポリシールールＩＤ、及び／又は、前記アプリケーションＩＤを、受信することをさらに備える、請求項８３に記載の方法。
【請求項８５】
コンピュータにより実行されたときに、前記コンピュータに請求項２０乃至３８、５８乃至７６、７９乃至８０、及び８３乃至８４のいずれか１つに記載の方法を実行させる命令が格納された、非一時な機械可読記憶媒体。
【請求項８６】
プロセッサとコンピュータプログラムを格納するように構成されたメモリを備え、前記プロセッサは前記メモリに格納された前記コンピュータプログラムを実行し、請求項２０乃至３８及び７９乃至８０のいずれか１つに記載の方法を実行するよう構成された、端末装置。
【請求項８７】
プロセッサとコンピュータプログラムを格納するように構成されたメモリを備え、前記プロセッサは前記メモリに格納された前記コンピュータプログラムを実行し、請求項５８乃至７６及び８３乃至８４のいずれか１つに記載の方法を実行するように構成された、ネットワークノード。
【発明の詳細な説明】
【技術分野】
【０００１】
本開示は、コミュニケーションシステムの分野に関し、より具体的には、ユーザ機器（ＵＥ：Ｕｓｅｒ  Ｅｑｕｉｐｍｅｎｔ）ポリシー伝送のネゴシエーションのための方法と装置に関するものである。
【背景技術】
【０００２】
現在のメカニズムは、ＵＥポリシー伝送のためのユーザ機器とネットワークの間のネゴシエーションを持たず、これは二重のＵＥポリシー配信を招く可能性があり、このため過剰な関連するシグナリングが発生する。
【０００３】
したがって、上記の従来技術の技術的課題を解決するためには、ＵＥポリシー配信のネゴシエーションのための方法と装置を提供する必要がある。
【発明の概要】
【０００４】
本開示の目的は、ユーザ機器とネットワークの間のＵＥポリシー伝送のネゴシエーションのための方法と装置を提案することである。
【０００５】
本開示の第１の観点においては、ＵＥポリシー伝送のネゴシエーションのため、ユーザ機器は、メモリと、トランシーバと、及びメモリとトランシーバに結合されたプロセッサを含んでいる。プロセッサは、ユーザ機器の性能に関連付けられた第１インジケータを生成するように構成され、及び、トランシーバが、ネットワークノードに対し、ユーザ機器がＵＥポリシー構成を起動することをサポートすることに関連付けられた第１インジケータ、及び／又はＵＥポリシー配信のためのＵＥアシスタント情報を報告することを制御する。
【０００６】
本開示の第２の観点においては、ユーザ機器のＵＥポリシー伝送のネゴシエーションのための方法は、ユーザ機器の性能に関連付けられた第１インジケータを生成すること、及び、ネットワークノードに対し、ユーザ機器がＵＥポリシー構成を起動することをサポートすることに関連付けられた第１インジケータ、及び／又はＵＥポリシー配信のためのＵＥアシスタント情報を報告すること、を含む。
【０００７】
本開示の第３の観点においては、ＵＥポリシー伝送のネゴシエーションのためのネットワークノードは、メモリと、トランシーバと、及びメモリとトランシーバに結合されたプロセッサを含んでいる。プロセッサは、トランシーバを制御して、ユーザ機器から、ユーザ機器の性能及びユーザ機器がＵＥポリシー構成の起動するためのサポートに関連付けられた第１インジケータを受信し、及び／又は、ＵＥポリシー配信のためのＵＥアシスタント情報を受信するように、構成されている。
【０００８】
本開示の第４の観点においては、ネットワークノードのＵＥポリシー伝送のネゴシエーションのための方法は、ユーザ機器から、ユーザ機器の性能及びユーザ機器がＵＥポリシー構成の起動するためのサポートに関連付けられた第１インジケータを受信すること、及び／又は、ＵＥポリシー配信のためのＵＥアシスタント情報を受信すること、を含む。
【０００９】
本開示の第５の観点においては、ＵＥポリシー伝送のネゴシエーションのためのユーザ機器は、メモリと、トランシーバと、メモリとトランシーバに結合されたプロセッサを含む。プロセッサは、ネットワークノードがユーザ機器にＵＥポリシー構成要求の起動を許可する、及び／又は、トランシーバを制御して、ＵＥポリシー識別子及び／又は表示（ＩＤ）、ポリシールールＩＤ、及び／又はアプリケーションＩＤを含んでいるシステム情報を受信する、ように構成されている。
【００１０】
本開示の第６の観点においては、ユーザ機器のＵＥポリシー伝送のネゴシエーションのための方法は、ネットワークノードがユーザ機器にＵＥポリシー構成要求の起動を許可した、及び／又は、ＵＥポリシー識別子及び／又は表示（ＩＤ）、ポリシールールＩＤ、及び／又はアプリケーションＩＤを含んでいるシステム情報をネットワークノードから受信した場合、システム情報に基づいて、ＵＥポリシー構成要求の起動をすることを含む。
【００１１】
本開示の第７の観点においては、ＵＥポリシー伝送のネゴシエーションのためのネットワークノードは、メモリと、トランシーバと、メモリとトランシーバに結合されたプロセッサを含む。プロセッサはユーザ機器にシステム情報に基づくＵＥポリシー構成要求の起動を許可する、及び／又は、トランシーバがユーザ機器にＵＥポリシー識別子及び／又は表示（ＩＤ）、ポリシールールＩＤ、及び／又はアプリケーションＩＤを含んでいるシステム情報を送信することを制御する、ように構成されている。
【００１２】
本開示の第８の観点においては、ネットワークノードのＵＥポリシー伝送のネゴシエーションのための方法は、ユーザ機器にシステム情報に基づくＵＥポリシー構成要求の起動を許可すること、及び／又は、ユーザ機器にＵＥポリシー識別子及び／又は表示（ＩＤ）、ポリシールールＩＤ、及び／又はアプリケーションＩＤを含んでいるシステム情報を送信すること、を含む。
【００１３】
本開示の第９の観点においては、非一時的な機械可読記憶媒体は、コンピュータによって実行されると、コンピュータに上記の方法を実行させる命令が格納されている。
【００１４】
本開示の第１０の観点においては、端末装置は、プロセッサと、コンピュータプログラムを格納するように構成されたメモリを含む。プロセッサは、上記の方法を実行するため、メモリに格納されたコンピュータプログラムを実行するように構成されている。
【００１５】
本開示の第１１の観点においては、ネットワークノードは、プロセッサと、コンピュータプログラムを格納するように構成されたメモリを含む。プロセッサは、上記の方法を実行するため、メモリに格納されたコンピュータプログラムを実行するように構成されている。
【図面の簡単な説明】
【００１６】
本開示又は関連技術の実施形態をより明確に図解するため、実施形態にて説明されるであろう以下の図が、簡潔に取り入れられる。ここで図は単に本開示のいくつかの実施形態であることは明白であり、この分野の当業者であれば、前提を払うことなく、これらの図に基づいて他の図を得ることが出来よう。
【図１】本開示の実施形態に基づくユーザ機器とネットワークの間の登録処理の概略図である。
【図２】本開示の実施形態に基づくユーザ機器とネットワークの間のトランスペアレントなＵＥポリシー伝送のためのＵＥポリシー構成処理の概略図である。
【図３】本開示の実施形態に基づくユーザ機器とネットワークの間のＵＥポリシー伝送のためのＵＥ構成を開始するユーザ機器の概略図である。
【図４】本開示の実施形態に基づくＵＥポリシー伝送のネゴシエーションのためのユーザ機器及びネットワークノードのブロック図である。
【図５】本開示の実施形態に基づくユーザ機器のＵＥポリシー伝送のネゴシエーションのため方法を図示するフローチャートである。
【図６】本開示の実施形態に基づくネットワークノードのＵＥポリシー伝送のネゴシエーションのため方法を図示するフローチャートである。
【図７】本開示のもう１つの実施形態に基づくユーザ機器のＵＥポリシー伝送のネゴシエーションのため方法を図示するフローチャートである。
【図８】本開示のもう１つの実施形態に基づくネットワークノードのＵＥポリシー伝送のネゴシエーションのため方法を図示するフローチャートである。
【図９】本開示の実施形態に基づくワイヤレスコミュニケーションのためのシステムのブロック図である。
【発明の詳細な説明】
【００１７】
本開示の実施形態を、以下に記述する添付図面を参考とし、技術的事項、構造的特徴、達成される目的、及び、効果の詳細とともに記述する。具体的には、本開示の実施形態における用語は、単に特定の実施形態の目的を記述しており、本開示を限定するするものではない。
【００１８】
図１には、登録処理におけるいくつかの実施形態において、サービスの受信のための認証を取得するために、モビリティトラッキングを可能とするために、及び、リーチャビリティを可能とするために、ユーザ機器１０はネットワークノード２０とともに登録する必要が図示されている。ネットワークノード２０としては、例えば、（ラジオ）アクセスネットワーク（（Ｒ）ＡＮ：Ｒａｄｉｏ  Ａｃｃｅｓｓ  Ｎｅｔｗｏｒｋ）２０１、新コアアクセス及びモビリティ制御機能（ＡＭＦ：Ａｃｃｅｓｓ  Ｍｏｂｉｌｉｔｙ  Ｍａｎａｇｅｍｅｎｔ  Ｆｕｎｃｔｉｏｎ）２０２、旧ＡＭＦ２０３、ポリシー制御機能（ＰＣＦ：Ｐｏｌｉｃｙ  Ｃｏｎｔｒｏｌ  Ｆｕｎｃｔｉｏｎ）２０４、セッション管理機能（ＳＭＦ：Ｓｅｓｓｉｏｎ  Ｍａｎａｇｅｍｅｎｔ  Ｆｕｎｃｔｉｏｎ）２０５、認証サーバ機能（ＡＵＳＦ：ＡＵｔｈｅｎｔｉｃａｔｉｏｎ  Ｓｅｒｖｅｒ  Ｆｕｎｃｔｉｏｎ）２０６、及び、統一データ管理（ＵＤＭ：Ｕｎｉｆｉｅｄ  Ｄａｔａ  Ｍａｎａｇｅｍｅｎｔ）２０７である。登録処理は、ユーザ機器１０が第５世代システム（５Ｇ）に開始登録を実行する場合に用いられる。ユーザ機器１０が周期的な（あらかじめ定義された非アクティブ期間による）登録更新を実行した場合に、加えて、ユーザ機器１０が登録処理においてネゴシエートされるその性能又はプロトコルパラメータを更新する必要がある場合に、ＣＭ＿ＣＯＮＮＥＣＴＥＤ及びＣＭ＿ＩＤＬＥモードの両方において、ユーザ機器１０の登録領域の外側の新トラッキング領域を変更すると、モビリティ登録が更新される。登録処理は、ステップ１から１３、１４ａから１４ｄ、及び、１５から２２までを提供し、一般的な登録コールフローとその説明は、ＴＳ２３．５０１項の４．２．２．２．２節にある。
【００１９】
図２には、いくつかの実施形態において、ユーザ機器１０に、ポリシーが構成されていない、又は、例えばポリシーの位置又は情報により現状のポリシーがもはや適用されない場合に、処理が開始されることが図示されている。いくつかの実施形態において、４．１６．１．２節及び４．１６．２．２節において定義されているように、ＡＭＦ２０８がＰＣＦ２０４から、ブロック２１１において図示されているように、非アクセス層（ＮＡＳ：Ｎｏｎ−Ａｃｃｅｓｓ  Ｓｔｒａｔｕｍ）メッセージ上で、ユーザ機器１０にトランスペアレントに伝送される必要があるＵＥポリシー情報を受信する。ＡＭＦ２０８は、ブロック２１２に図示されているように、ＰＣＦ２０４から受信したＵＥポリシーを、ＵＥポリシーのＮＡＳメッセージトランスポートにおけるトランスペアレントコンテナとして、ユーザ機器１０に送信する。この処理で用いられているＮＡＳメッセージは、ＴＳ２４．５０１項において指定されているステージ３によって決定されることが理解される。
【００２０】
図３には、ブロック２２１におけるいくつかの実施形態において、例えば、現在の場所やＰＬＭＮにおいて適応する有効なポリシーが無いなど、更新されたＵＥポリシーを取得する必要があることをユーザ機器１０が検出した場合、ＡＭＦ２０８に対するアップリンク（ＵＬ）ＮＡＳトランスポートメッセージにおいて、ユーザ機器１０はＵＥポリシーステータスを含むことが図示されている。ＵＥポリシーステータス更新は、ユーザ機器１０における現在のＵＥポリシーの情報を示す。ユーザ機器１０は、ＵＬ  ＮＡＳ  ＴＲＡＮＳＰＯＲＴメッセージにおいて、メッセージがＰＣＦ２０４へ指向することを指定する。ＵＥポリシーステータス更新の可能な値は、ＴＳ２３．５０３で指定されていることが理解される。ブロック２２２において、ＡＭＦ２０８はＰＣＦ２０４へ、Ｎａｍｆ＿Ｃｏｍｍｕｎｉｃａｔｉｏｎ＿Ｎ１ＭｅｓｓａｇｅＮｏｔｉｆｙのサービス動作を起動する。サービス動作は、ブロック２２１において受信したＵＥポリシーステータス更新を含む。ブロック２２３において、ＰＣＦ２０４は受信したＵＥポリシー更新情報に基づいて、新しいＵＥポリシーをユーザ機器１０に伝送できるかどうかを決定する。ブロック２２４において、ＰＣＦ２０４がＵＥポリシーの更新を決定した場合、ＰＣＦ２０４は、４．２．４．３節において定義された、トランスペアレントなＵＥポリシー伝送処理のためのＵＥ構成更新処理を起動し、ＵＥポリシーを更新する。
【００２１】
図４には、いくつかの実施形態における、ＵＥポリシー伝送のネゴシエーションのためのユーザ機器１０及びネットワークノード２０が図示されている。ユーザ機器１０は、プロセッサ１１、メモリ１２及びトランシーバ１３を含んでもよい。ネットワークノード２０は、プロセッサ２１、メモリ２２及びトランシーバ２３を含んでもよい。プロセッサ１１又は２１は、本明細書で提案された機能、処理及び／又は方法を実行するように構成されてもよい。ラジオインタフェースプロトコルのレイヤーは、プロセッサ１１又は２１において実行されてもよい。メモリ１２又は２２は、プロセッサ１１又は２１に動作可能に結合され、プロセッサ１１又は２１を作動するための多様な情報を格納する。トランシーバ１３又は２３は、プロセッサ１１又は２１に動作可能に結合され、無線信号を送信及び／又は受信する。
【００２２】
プロセッサ１１又は２１は、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、他のチップセット、論理回路及び／又はデータ処理デバイスを含んでもよい。メモリ１２又は２２は、読取り専用メモリ（ＲＯＭ：Ｒｅａｄ−ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、フラッシュメモリ、メモリカード、記憶媒体及び／又はその他の記憶デバイスを含んでもよい。トランシーバ１３又は２３は、無線周波数信号を処理するためのベースバンド回路を含んでもよい。ソフトウェアに本実施形態が実現された場合、本明細書に記載された技術は、本明細書に記載された機能を実行するモジュール（例えば、処理、機能など）によって実現され得る。モジュールは、メモリ１２又は２２に格納され、プロセッサ１１又は２１によって実行され得る。メモリ１２又は２２は、プロセッサ１１又は２１の中、又は、プロセッサ１１又は２１の外で実装され得て、その様な場合、これらは本技術において知られている様々な方法を介して、プロセッサ１１又は２１へ通信可能に結合され得る。
【００２３】
ユーザ機器間の通信は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）の新しい無線（ＮＲ：Ｎｅｗ  Ｒａｄｉｏ）リリース１６以降のもとで開発されたサイドリンク技術による、Ｖ２Ｖ（Ｖｅｈｉｃｌｅ−ｔｏ−Ｖｅｈｉｃｌｅ）、Ｖ２Ｐ（Ｖｅｈｉｃｌｅ−ｔｏ−Ｐｅｄｅｓｔｒｉａｎ）、及び、Ｖ２Ｉ／Ｎ（Ｖｅｈｉｃｌｅ−ｔｏ−Ｉｎｆｒａｓｔｒｕｃｔｕｒｅ／Ｎｅｔｗｏｒｋ）を含むＶ２Ｘ（Ｖｅｈｉｃｌｅ−ｔｏ−Ｅｖｅｒｙｔｈｉｎｇ）に、関連する。ユーザ機器は、ＰＣ５インタフェースのようなサイドリンクインタフェースを介して、互いに直接通信される。
【００２４】
いくつかの実施形態において、プロセッサ１１は、ユーザ機器１０の性能に関連付けられた第１インジケータを生成するように構成されており、及び、トランシーバ１３を制御して、ネットワークノード２０に、ユーザ機器１０がＵＥポリシー構成を起動するためのサポートに関連付けられた第１インジケータ及び／又はＵＥポリシー配信のためのＵＥアシスタント情報を報告するように構成されている。
【００２５】
いくつかの実施形態において、ＵＥポリシー配信は、ネットワークノードがユーザ機器へＵＥポリシー配信を実行することの本質である。例えば、ＵＥポリシー配信の詳細が図２に図示されている。
【００２６】
いくつかの実施形態において、ＵＥポリシー配信は、ＵＥアシスタント情報のメッセージにより実行される。例えば、ＵＥアシスタント情報はＶ２ＸのようなアプリケーションＩＤを含み、ＰＣＦはＶ２Ｘサービスに対応したポリシーを、ユーザ機器へ伝送する。
【００２７】
いくつかの実施形態において、プロセッサ２１は、トランシーバ２３を制御して、ユーザ機器１０の性能及びユーザ機器１０がＵＥポリシー構成を起動するためのサポートに関連付けられた第１インジケータを受信し、及び／又は、ユーザ機器１０からのＵＥポリシー配信のためのＵＥアシスタント情報を受信する、ように構成されている。
【００２８】
いくつかの実施形態において、プロセッサ１１は、ネットワークノード２０がユーザ機器１０にＵＥポリシー構成要求の起動を許可した場合、システム情報によりＵＥポリシー構成を起動するように構成されており、及び／又は、トランシーバ１３を制御して、ＵＥポリシー識別子及び／又は表示（ＩＤ）、ポリシールールＩＤ、及び／又はアプリケーションＩＤを含んでいるシステム情報をネットワークノードから受信するように構成されている。いくつかの実施形態において、ＩＤは識別子及び／又は表示を意味する。
【００２９】
いくつかの実施形態において、プロセッサ２１は、ユーザ機器１０がシステム情報によるＵＥポリシー構成要求を起動することを許可するように構成されており、及び／又は、トランシーバ２３を制御して、ユーザ機器１０に、ＵＥポリシー識別子及び／又は表示（ＩＤ）、ポリシールールＩＤ、及び／又はアプリケーションＩＤを含んでいるシステム情報を送信するように構成されている。
【００３０】
図５には、本開示の実施形態による、ユーザ機器１０のＵＥポリシー伝送のネゴシエーションのための方法４００が図示されている。方法４００は、ブロック４０２において、ユーザ機器１０の性能に関連付けられた第１インジケータを生成することを含み、ブロック４０４において、ネットワークノード２０にユーザ機器１０がＵＥポリシー構成を起動するためのサポートに関連付けられた第１インジケータ及び／又はＵＥポリシー配信のためのＵＥアシスタント情報を、報告すること、を含む。
【００３１】
図６には、本開示の実施形態による、ネットワークノード２０のＵＥポリシー伝送のネゴシエーションのための方法５００が図示されている。方法５００は、ブロック５０２において、ユーザ機器１０から、ユーザ機器１０の性能及びユーザ機器１０がＵＥポリシー構成を起動するためのサポートに関連付けられた第１インジケータを受信し、及び／又は、ＵＥポリシー配信のためのＵＥアシスタント情報を起動することを含み、ブロック５０４において、１つのＮＡＳメッセージにおいてＵＥポリシーが伝送された場合、ＵＥポリシー構成要求の起動が許可されるユーザ機器１０を決定することを含む。ＵＥポリシー構成要求を起動することを許可されるユーザ機器１０を示すパラメータがＵＥサブスクリプションにあり、及び／又は、第３者から、ユーザ機器１０にＵＥポリシー構成要求の起動を許可することの要求がある。
【００３２】
図７には、本開示のもう１つの実施形態による、ユーザ機器１０のＵＥポリシー伝送のネゴシエーションのための方法６００が図示されている。方法６００は、ブロック６０２において、ネットワークノード２０がユーザ機器１０にＵＥポリシー構成要求の起動を許可した場合、システム情報によりＵＥポリシー構成要求を起動すること、及び／又は、ブロック６０４において、ネットワークノード２０からＵＥポリシー識別子及び／又は表示（ＩＤ）、ポリシールールＩＤ、及び／又はアプリケーションＩＤを含んでいるシステム情報を受信すること、を含む。
【００３３】
図８には、本開示のもう１つの実施形態による、ネットワークノード２０のＵＥポリシー伝送のネゴシエーションのための方法８００が図示されている。方法８００は、ブロック８０２において、ユーザ機器１０にシステム情報によるＵＥポリシー構成要求の起動を許可すること、及び／又は、ブロック８０４において、ユーザ機器１０に、ＵＥポリシー識別子及び／又は表示（ＩＤ）、ポリシールールＩＤ、及び／又はアプリケーションＩＤを含んでいるシステム情報を送信すること、を含む。
【００３４】
いくつかの実施形態において、プロセッサ１１は、トランシーバ１３がネットワークノード２０から第２インジケータを取得する前に、ＵＥポリシー構成要求を起動せず、第２インジケータは、ユーザ機器１０がＵＥポリシー構成要求を起動することを許可する。すなわち、ユーザ機器１０は、トランシーバ２３がユーザ機器１０に第２インジケータを送信する前に、ＵＥポリシー構成要求を起動しない。
【００３５】
いくつかの実施形態において、図１乃至３の登録処理に図示されているように、第１インジケータは登録処理において、登録要求メッセージに含まれる。登録要求メッセージは、非アクセス層（ＮＡＳ）メッセージである。第１インジケータは、他の種類のＮＡＳメッセージに含めることができる。ユーザ機器１０により提供されるＵＥポリシー配信のためのＵＥアシスタント情報は、登録処理における登録要求メッセージに含まれる。ＵＥポリシー配信のためのＵＥアシスタント情報は、ＵＥポリシー識別子及び／又は表示（ＩＤ）、ポリシールールＩＤ、及び／又はアプリケーションＩＤを含んでいる。ネットワークノード２０は、図２及び３に図示されている、ＡＭＦ２０８やＰＣＦ２０４などのコアアクセス及びモビリティ制御機能（ＡＭＦ）、又は、ポリシー制御機能（ＰＣＦ）である。いくつかの実施形態において、ＵＥポリシーＩＤは、サポートされたＵＥポリシーＩＤ及び／又は格納されたＵＥポリシーＩＤを含む。いくつかの実施形態において、サポートされたＵＥポリシーＩＤは、格納されたＵＥポリシーＩＤを含んでもよい。
【００３６】
いくつかの実施形態において、ＵＥポリシーＩＤは、Ｖ２Ｘサービス、モバイルブロードバンド（ＭＢＢ：Ｍｏｂｉｌｅ  Ｂｒｏａｄ  Ｂａｎｄ）サービス、及び／又は、ＩｏＴ（Ｉｎｔｅｒｎｅｔ  ｏｆ  Ｔｈｉｎｇｓ）サービスを示す及び／又は識別することに用いることができる。ポリシールールＩＤは、特定のタイプのサービスのポリシーに特徴付けることができ、種々のルールを持つＩＤなどとすることができる。複数のルールをユーザ機器及びサービスごとに異にできる。指示を区別するルールＩＤがあってもよい。指示を区別するために、アプリケーションＩＤは、Ｖ２Ｘ、ＩｏＴ、ＭＢＢサービスなどの異なったサービスを指示及び／又は識別するために用いることができる。
【００３７】
いくつかの実施形態において、プロセッサ２１は、１つのＮＡＳメッセージにおいてＵＥポリシーが伝送された場合、ユーザ機器１０がＵＥポリシー構成要求を起動することを許可することを決定し、ＵＥポリシー構成要求を起動することを許可されたユーザ機器１０を示すパラメータがＵＥサブスクリプションにあり、及び／又は、第３者から、ユーザ機器１０がＵＥポリシー構成要求の起動を許可することの要求がある。
【００３８】
いくつかの実施形態において、ＮＡＳメッセージのサイズは、ネットワークノード２０から取得される。ＮＡＳメッセージのサイズは、登録処理の間にＡＭＦから取得される。ＵＥサブスクリプションは、統一データ管理（ＵＤＭ）及び／又は統一データレポジトリ（ＵＤＲ）から取得される。第三者はネットワーク露出機能（ＮＥＦ：Ｎｅｔｗｏｒｋ  Ｅｘｐｏｓｕｒｅ  Ｆｕｎｃｔｉｏｎ）である。
【００３９】
いくつかの実施形態において、トランシーバ１３は、ネットワークノード２０からユーザ機器１０にＵＥポリシー構成要求を起動することを許可する第２インジケータを受信する、及び／又は、ＵＥポリシー配信のためのＵＥアシスタント情報を提供する、ように構成されている。すなわち、トランシーバ２３は、ユーザ機器１０に、ＵＥポリシー構成要求の起動をユーザ機器１０に許可する第２インジケータを送信する、及び／又は、ＵＥポリシー配信のためのＵＥアシスタント情報を提供する、ように構成されている。
【００４０】
いくつかの実施形態において、第２インジケータは、登録受諾メッセージに含まれる。
【００４１】
いくつかの実施形態において、トランシーバ１３が、ネットワークノード２０から、ユーザ機器１０にＵＥポリシー構成要求の起動を許可する、第２インジケータを受信した場合、プロセッサ１１は、ＵＥポリシー構成要求を起動する。トランシーバ１３が、ネットワークノード２０から、ネットワークノード２０に対するさらなるＮＡＳメッセージに、ＵＥポリシー配信のためのＵＥアシスタント情報を加えることを、ユーザ機器１０に許可する第２インジケータを受信した場合、プロセッサ１１は、ネットワークノード２０に対するさらなるＮＡＳメッセージに、ＵＥポリシー配信のためのＵＥアシスタント情報を加える。
【００４２】
いくつかの実施形態において、トランシーバ１３が、ネットワークノード２０から、ユーザ機器１０にＵＥポリシー構成要求の起動を許可する、第２インジケータを受信した後、プロセッサ１１は、ＵＥポリシー構成要求を起動する。トランシーバ１３が、ネットワークノード２０から、ネットワークノード２０に対するさらなるＮＡＳメッセージに、ＵＥポリシー配信のためのＵＥアシスタント情報を加えることを、ユーザ機器１０に許可する第２インジケータを受信した後、プロセッサ１１は、ネットワークノード２０に対するさらなるＮＡＳメッセージに、ＵＥポリシー配信のためのＵＥアシスタント情報を加える。
【００４３】
いくつかの実施形態において、トランシーバ２３が、ユーザ機器１０へ、ユーザ機器１０にＵＥポリシー構成要求の起動を許可する、第２インジケータを送信した場合、ユーザ機器１０はＵＥポリシー構成要求を起動する。トランシーバ２３が、ユーザ機器１０へ、ネットワークノード２０に対するさらなるＮＡＳメッセージに、ＵＥポリシー配信のためのＵＥアシスタント情報を加えることを、ユーザ機器１０に許可する第２インジケータを送信した場合、ユーザ機器１０は、ネットワークノード２０に対するさらなるＮＡＳメッセージに、ＵＥポリシー配信のためのＵＥアシスタント情報を加える。
【００４４】
いくつかの実施形態において、トランシーバ２３が、ユーザ機器１０へ、ユーザ機器１０にＵＥポリシー構成要求の起動を許可する、第２インジケータを送信した後、ユーザ機器１０は、ＵＥポリシー構成要求を起動する。トランシーバ２３が、ユーザ機器１０へ、ネットワークノード２０に対するさらなるＮＡＳメッセージに、ＵＥポリシー配信のためのＵＥアシスタント情報を加えることを、ユーザ機器１０に許可する第２インジケータを送信した後、ユーザ機器１０は、ネットワークノード２０に対するさらなるＮＡＳメッセージに、ＵＥポリシー配信のためのＵＥアシスタント情報を加える。
【００４５】
図９は、本開示の実施形態によるワイヤレス通信のための、例であるシステム７００のブロック図である。本明細書において記載されている実施形態は、適当に構成された任意のハードウェア及び／又はソフトウェアを用いて実行されてもよい。図９には、システム７００が図示されており、無線周波数（ＲＦ：Ｒａｄｉｏ  Ｆｒｅｑｕｅｎｃｙ）回路７１０、ベースバンド回路７２０、アプリケーション回路７３０、メモリ／ストレージ７４０、ディスプレイ７５０、カメラ７６０、センサ７７０、出力／入力（Ｉ／Ｏ：Ｉｎｐｕｔ／Ｏｕｔｐｕｔ）インタフェース７８０、を含み、少なくともそれが互いに結合されていることが図示されている。
【００４６】
アプリケーション回路７３０は、限定されることはないが、１又はそれ以上の、シングル−コアプロセッサ又はマルチ−コアプロセッサなどの回路を含んでもよい。プロセッサは、グラフィックプロセッサやアプリケーションプロセッサなどの、汎用プロセッサ（Ｇｅｎｅｒａｌ−Ｐｕｒｐｏｓｅ  Ｐｒｏｃｅｓｓｏｒ）及び専用プロセッサ（Ｄｅｄｉｃａｔｅｄ  Ｐｒｏｃｅｓｓｏｒ）の任意の組合せを含んでもよい。プロセッサは、メモリ／ストレージに結合されてもよく、メモリ／ストレージに格納された指令を実行してシステム上で実行される種々のアプリケーション及び／又はオペレーティングシステムを可能とする、ように構成されてもよい。
【００４７】
ベースバンド回路７２０は、限定されることはないが、１又はそれ以上の、シングル−コアプロセッサ又はマルチ−コアプロセッサなどの回路を含んでもよい。プロセッサは、ベースバンドプロセッサを含んでもよい。ベースバンド回路は、ＲＦ回路を介して１又は複数の無線ネットワークへ通信を可能とする種々の無線制御機能を扱えてもよい。無線制御機能は、限定されることはないが、シングル変調、符号化、復号化、無線周波数偏移などを含んでもよい。いくつかの実施形態において、ベースバンド回路は１又は複数の無線技術と通信の互換性を提供してもよい。例えば、いくつかの実施形態において、ベースバンド回路は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、及び／又は他のＷＭＡＮ（Ｗｉｒｅｌｅｓｓ  Ｍｅｒｔｏｐｏｌｉｔａｎ  Ａｒｅａ  Ｎｅｔｗｏｒｋ）、ＷＬＡＮ（Ｗｉｒｅｌｅｓｓ  Ｌｏｃａｌ  Ａｒｅａ  Ｎｅｔｗｏｒｋ）、ＷＰＡＮ（Ｗｉｒｅｌｅｓｓ  Ｐｅｒｓｏｎａｌ  Ａｒｅａ  Ｎｅｔｗｏｒｋ）との通信のサポートをしてもよい。ベースバンド回路が複数の無線プロトコルの無線通信をサポートするように構成されている実施形態を、マルチ−モードベースバンド回路と呼んでもよい。
【００４８】
種々の実施形態において、ベースバンド回路７２０は、厳密にベースバンド周波数内にあるとみなされない信号に作動する回路を含んでもよい。例えば、いくつかの実施形態において、ベースバンド回路は、ベースバンド周波数と無線周波数の間の中間周波数を持つ信号に作動する回路を含んでもよい。
【００４９】
ＲＦ回路７１０は、非固体媒体を通じて変調された電磁放射を用いて、無線ネットワークへの通信を可能としてもよい。種々の実施形態において、ＲＦ回路は、無線ネットワークとの通信を促進するために、スイッチ、フィルター、増幅器などを含んでもよい。
【００５０】
種々の実施形態において、ユーザ機器、ｅＮＢ、又はｇＮＢに関して上記で説明した送信機回路、制御回路、又は受信機回路は、ＲＦ回路、ベースバンド回路、及びアプリケーション回路の全部又は一部において実現されてもよい。本明細書で用いられる場合、「回路」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、プロセッサ（共有、専用、又はグループ）、及び／又は１又は複数のソフトウェア又はファームウェアプログラムを実行するメモリ（共有、専用、又はグループ）、組合せ論理回路、及び／又は記述された機能を提供するために適切なハードウェアコンポーネント、の一部又は含んでいる、とみなしてもよい。いくつかの実施形態において、電子デバイス回路は、１つ又は複数のソフトウェア又はファームウェアに実装されてもよく、又は、回路に関連付けられた機能は、１つ又は複数のソフトウェア又はファームウェアによって実装されてもよい。
【００５１】
いくつかの実施形態において、ベースバンド回路、アプリケーション回路、及び／又はメモリ／ストレージの構成要素のいくつか又は全ては、システムオンチップ（ＳＯＣ：Ｓｙｓｔｅｍ  ｏｎ  Ｃｈｉｐ）上で、ともに実装されてもよい。
【００５２】
メモリ／ストレージ７４０は、例えば、システムへのデータ及び／又は指令を、読み込む及び格納するために用いられてもよい。１つの実施形態のためのメモリ／ストレージは、ダイナミックランダムアクセスメモリ（ＤＲＡＭ：Ｄｙｎａｍｉｃ  Ｒａｎｄｏｍ  Ａｃｃｅｓｓ  Ｍｅｍｏｒｙ）などの揮発性メモリ、及び／又は、フラッシュメモリなどの不揮発性メモリの適切な任意の組合せを含んでもよい。
【００５３】
種々の実施形態において、Ｉ／Ｏインタフェース７８０は、１つ又は複数の、ユーザとシステムとが相互作用が可能となるように設計されたユーザインタフェース、及び／又は、周辺構成要素のシステムがシステムとが相互作用が可能となるように設計された周辺構成要素インタフェース、を含んでもよい。ユーザインタフェースは、限定されることはないが、物理的キーボード、キーパッド、タッチパッド、スピーカ、マイクロフォンなどを含んでよい。周辺構成要素インタフェースは、限定されることはないが、不揮発メモリポート、ＵＳＢ（Ｕｎｉｖｅｒｓａｌ  Ｓｅｒｉａｌ  Ｂｕｓ）ポート、オーディオジャック及びパワーサプライインタフェースを含んでもよい。
【００５４】
種々の実施形態において、センサ７７０は、１又は複数の、システムに関連する環境条件及び／又は位置情報を決定する、センシングデバイスを含んでもよい。いくつかの実施形態において、センサは、限定されることはないが、ジャイロセンサ、加速度計、近接センサ、周辺光センサ、及びポジショニングユニットを含んでもよい。ポジショニングユニットはまた、ポジショニングネットワークの構成要素、例えばＧＰＳ（Ｇｒｏｂａｌ  Ｐｏｓｉｔｉｏｎｉｎｇ  Ｓｙｓｔｅｍ）衛星と通信するための、ベースバンド回路及び／又はＲＦ回路、の一部でもよく、相互作用してもよい。
【００５５】
種々の実施形態において、ディスプレイ７５０は、液晶ディスプレイ、タッチスクリーンディスプレイなどを含んでもよい。種々の実施形態において、システム７００は、限定されることはないが、ラップトップコンピューティングデバイス、タブレットコンピューティングデバイス、ネットブック、ウルトラブック、スマートフォンなどのモバイルコンピューティングデバイスでもよい。種々の実施形態において、システムは多少の構成要素、及び／又は種々のアーキテクチャを持っていてもよい。必要に応じて、本明細書に記載されている方法はコンピュータプログラムとして実行されてもよい。コンピュータプログラムは、非一時的な記憶媒体などの記憶媒体に格納されてもよい。
【００５６】
本開示の実施形態において、ユーザ機器とネットワークの間のＵＥポリシー伝送のネゴシエーションのための方法及び装置が提供されている。本開示の実施形態は、３ＧＰＰ仕様において採用され得る最終製品を創作する、技術／処理の組合せである。
【００５７】
当業者は、本開示の実施形態において説明及び開示されている、ユニット、アルゴリズム、及びステップのそれぞれが、電子ハードウェア、又は、コンピュータのためのソフトウェア及び電子ハードウェアの組合せ、を用いて実現されていることを理解する。機能がハードウェア又はソフトウェアで実行するかは、アプリケーション条件及び技術計画のための設定要求に依存する。
【００５８】
当業者は、それぞれ特定のアプリケーションのための機能を実現するため、様々な方法を用いることができるが、その実現が本開示の範囲を超えるべきものではない。前記のシステム、デバイス、及びユニットの動作過程は基本的に同じであるため、前記の実施形態におけるシステム、デバイス、及びユニットの動作過程を参考とし得ることが、当業者により理解されよう。簡単な記載及び平易のため、これらの動作過程は詳細に説明しない。
【００５９】
本開示の実施形態において、開示されたシステム、デバイス、及び方法は、他の手段により実現され得る。前記の実施形態は単に例示である。ユニットの分割は単に論理機能に基づき、一方で実現には、他の分割が存在する。複数のユニット又は構成要素を結合させる、又は他のシステムに統合させることが可能である。いくつかの特徴は省略され、又はスキップされることが可能である。一方で、表示又は説明された、相互結合、直接結合、又は通信結合は、いくつかのポート、デバイス、又はユニットを通じて、電気的、機械的、又は他の種類の形式により、非直接的又は通信的に動作する。
【００６０】
説明のための分離構成要素としてのユニットは物理的に分離されているか、されていない。表示のためのユニットは物理的ユニットであるか、ではない。すなわち、１つの場所に位置する、又は複数のネットワークユニットに配信されている。いくつか又は全てのユニットは、実施形態の目的により用いられる。さらに、それぞれの実施形態におけるそれぞれの機能ユニットは、物理的に独立した１つの処理ユニットに、又は、２つ又は２つ以上のユニットに統合された１つの処理ユニットに、統合され得る。
【００６１】
ソフトウェア機能ユニットが製品として実現され、使用され、販売された場合、コンピュータの可読記憶媒体に格納され得る。この理解に基づき、本開示により提案された技術的計画は、本質的に又は部分的にソフトウェア製品の形態として実現され得る。又は、従来技術にとって利益をもたらす技術計画の一部は、ソフトウェア製品の形態として実現され得る。コンピュータにおけるソフトウェア製品は、記憶媒体に格納され、コンピュータデバイス（パーソナルコンピュータ、サーバ、又はネットワークデバイスなど）への、本開示の実施形態により開示された、全て又はいくつかのステップを実行する複数のコマンドを含んでいる。記憶媒体は、ＵＳＢディスク、モバイルハードディスク、読取り専用メモリ（ＲＯＭ）、ランダムアクセスメモリ（ＲＡＭ）、フロッピーディスク、又はその他のプログラムコードを格納出来る媒体を含んでいる。
【００６２】
本開示は、最も実用的で好ましいと考えられる実施形態に関して説明して来たが、本開示は、開示された実施形態に限られることはなく、添付された請求項の最も広い解釈の範囲から逸脱することなく様々な組合せをカバーされていると理解される。
【図１】
2021504989.tif 000003
【図２】
2021504989.tif 000004
【図３】
2021504989.tif 000005
【図４】
2021504989.tif 000006
【図５】
2021504989.tif 000007
【図６】
2021504989.tif 000008
【図７】
2021504989.tif 000009
【図８】
2021504989.tif 000010
【図９】
2021504989.tif 000011
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
ＵＥポリシー伝送のネゴシエーションのためのユーザ機器（ＵＥ：Ｕｓｅｒ  Ｅｑｕｉｐｍｅｎｔ）（１０）であって、
メモリ（１２）と、
トランシーバ（１３）と、
前記メモリ（１２）と前記トランシーバ（１３）に結合されたプロセッサ（１１）と、
を備え、
前記プロセッサ（１１）は、
前記ユーザ機器の性能に関連付けられた、第１インジケータを生成し、前記第１インジケータは、ＵＥポリシー配信のためのＵＥアシスタント情報を備えており、
前記トランシーバ（１３）を制御して、ネットワークノードへ、非アクセス層（ＮＡＳ：Ｎｏｎ  Ａｃｃｅｓｓ  Ｓｔｒａｔｕｍ）メッセージにおける前記第１インジケータを送信するように構成される、
ユーザ機器。
【請求項２】
前記プロセッサは、前記トランシーバを制御して、ＮＡＳトランスポートにおけるトランスペアレントコンテナを介してＵＥポリシーを受信するようにさらに構成される、請求項１に記載のユーザ機器。
【請求項３】
前記第１インジケータは、登録処理における登録要求メッセージに含まれている、請求項１又は２に記載のユーザ機器。
【請求項４】
前記ＵＥポリシー配信のための前記ＵＥアシスタント情報は、ＵＥポリシー識別子及び／又は表示（ＩＤ）、ポリシールールＩＤ、及び／又は、アプリケーションＩＤを備える、請求項１乃至３のいずれか１つに記載のユーザ機器。
【請求項５】
前記ネットワークノードは、コアアクセス及びモビリティ制御機能（ＡＭＦ：Ａｃｃｅｓｓ  Ｍｏｂｉｌｉｔｙ  Ｍａｎａｇｅｍｅｎｔ  Ｆｕｎｃｔｉｏｎ）、又は、ポリシー制御機能（ＰＣＦ：Ｐｏｌｉｃｙ  Ｃｏｎｔｒｏｌ  Ｆｕｎｃｔｉｏｎ）である、請求項１乃至４のいずれか１つに記載のユーザ機器。
【請求項６】
前記ＵＥポリシー配信は、前記ＵＥアシスタント情報のメッセージに基づいて実行される、請求項１乃至５のいずれか１つに記載のユーザ機器。
【請求項７】
前記ＵＥアシスタント情報は、アプリケーションＩＤを備え、前記ネットワークノードは、前記トランシーバ（１３）に、前記アプリケーションＩＤに対応するポリシーを伝送するように構成される、請求項１乃至６のいずれか１つに記載のユーザ機器。
【請求項８】
前記アプリケーションＩＤは、Ｖ２Ｘ（Ｖｅｈｉｃｌｅ−ｔｏ−Ｅｖｅｒｙｔｈｉｎｇ）に関連付けられ、前記ネットワークノードは、前記トランシーバ（１３）に、Ｖ２Ｘサービスに対応する前記ポリシーを伝送するように構成される、請求項７に記載のユーザ機器。
【請求項９】
ユーザ機器（ＵＥ）のユーザ機器ポリシー伝送のネゴシエーションのための方法であって、
前記ユーザ機器の性能に関連付けられた第１インジケータを生成することであって（４０２）、前記第１インジケータは、ＵＥポリシー配信のためのＵＥアシスタント情報を備え、
ネットワークノードに、非アクセス層（ＮＡＳ：Ｎｏｎ  Ａｃｃｅｓｓ  Ｓｔｒａｔｕｍ）メッセージにおける前記第１インジケータを送信することと（４０４）、
を備える方法。
【請求項１０】
ＮＡＳトランスポートにおけるトランスペアレントコンテナを介してＵＥポリシーを受信することをさらに備える、請求項９に記載の方法。
【請求項１１】
前記第１インジケータは、登録処理における登録要求メッセージに含まれる、請求項９又は１０に記載の方法。
【請求項１２】
前記ＵＥポリシー配信のための前記ＵＥアシスタント情報は、ＵＥポリシー識別子及び／又は表示（ＩＤ）、ポリシールールＩＤ、及び／又は、アプリケーションＩＤを備える、請求項９乃至１１のいずれか１つに記載の方法。
【請求項１３】
前記ネットワークノードは、コアアクセス及びモビリティ制御機能（ＡＭＦ）、又は、ポリシー制御機能（ＰＣＦ）である、請求項９乃至１２のいずれか１つに記載の方法。
【請求項１４】
前記ＵＥポリシー配信は、前記ＵＥアシスタント情報のメッセージに基づいて実行され、前記ＵＥアシスタント情報は、アプリケーションＩＤを備え、前記ネットワークノードは、トランシーバに、前記アプリケーションＩＤに対応するポリシーを伝送するように構成される、請求項９乃至１３のいずれか１つに記載の方法。
【請求項１５】
前記アプリケーションＩＤは、Ｖ２Ｘ（Ｖｅｈｉｃｌｅ−ｔｏ−Ｅｖｅｒｙｔｈｉｎｇ）に関連付けられ、前記ユーザ機器に対して、Ｖ２Ｘサービスに対応する前記ポリシーを伝送することを備える、請求項１４に記載の方法。
【国際調査報告】
2021504989.tif 000012